(57)【要約】      （修正有）【課題】こぼれた飲食物が前身頃部の左右方向に飛び出すこと、首元から前身頃部の裏側に落ちることを防ぎ、ポケット部を開口状態に維持する食事用エプロンを提供する。【解決手段】着用者の首に留める首掛部１、着用者の胸の前側に垂らす前身頃部２と、こぼれた飲食物を受け入れるポケット部３を設けている食事用エプロンにおいて、ポケット部は、前側片２１と後側片を重ね、両片の縁を閉じて、上向きの口を形成している。前身頃部は、左右の両側にタック１６を設け、縦方向の長さを左右の両側部で中央部より短くし、ポケット部を開口する着用時、左右の側部が前側に湾曲して左右の両側に側壁が突出する溝形状になる構成にしている。ポケット部は、口の縁に、湾曲させるとその湾曲形状を保持する形状保持線材２３を付けて、開口状態に維持可能にしている。首掛部は、着用者の首前部に接する伸縮性の襟１４を付けている。【選択図】図１
0003195241.tif 000002
【実用新案登録請求の範囲】
【請求項１】
着用者の首に留める首掛部、着用者の胸の前側に垂らす前身頃部と、こぼれた飲食物を受け入れるポケット部を設けている食事用エプロンにおいて、
ポケット部は、前側片と後側片を重ね、前側片と後側片の縁を閉じて、上向きの口を形成し、
前身頃部は、左右の両側にそれぞれタックを設け、縦方向の長さを左右の両側部で中央部より短くし、
ポケット部を開口する着用時、前身頃部は、左右の側部が前側に湾曲して左右の両側に側壁が突出する溝形状になる構成にしていることを特徴とする食事用エプロン。
【請求項２】
左右のタックは、それぞれ、１本にしていることを特徴とする請求項１に記載の食事用エプロン。
【請求項３】
ポケット部は、口の縁に、湾曲させるとその湾曲形状を保持する形状保持線材を付けて、開口状態に維持可能にしていることを特徴とする請求項１又は２に記載の食事用エプロン。
【請求項４】
形状保持線材を付ける口の縁は、前側片の上縁にしていることを特徴とする請求項３に記載の食事用エプロン。
【請求項５】
形状記憶線材は、合成樹脂の形状保持テープにしていることを特徴とする請求項３又は４に記載の食事用エプロン。
【請求項６】
首掛部は、着用者の首前部に接する伸縮性の襟を付けていることを特徴とする請求項１〜５のいずれかに記載の食事用エプロン。
【請求項７】
襟の生地は、伸縮性のあるメリヤス編みの生地にしていることを特徴とする請求項６に記載の食事用エプロン。
【請求項８】
襟の生地は、スムース素材にしていることを特徴とする請求項６又は７に記載の食事用エプロン。
【考案の詳細な説明】
【技術分野】
【０００１】
本考案は、食べこぼしや飲みこぼしを受ける食事用エプロンに関する。
【背景技術】
【０００２】
食事の介助を受ける者は、食べこぼしや飲みこぼしによって衣服、床や食卓が汚れることを防ぐため、食事用のエプロンを着用する。
食事用エプロンは、ポケット付きタイプがある。下端部に、食べこぼしや飲みこぼしを受け入れるポケット部を設けている。ポケット部は、前側片と後側片を重ね、前側片と後側片の下縁と左右の縁を閉じて、上向きの口を形成している。
この種の食事用エプロンは、上から下に順次、着用者の首に留める首掛部、着用者の胸の前側に垂らす前身頃部と、こぼれた飲食物を受け入れるポケット部を設けている。
【先行技術文献】
【特許文献】
【０００３】
【特許文献１】登録実用新案第３１６６３３３号公報
【考案の概要】
【考案が解決しようとする課題】
【０００４】
［課  題］
上記のような食事用エプロンでは、着用者からこぼれた飲食物は、前身頃部の前側を落下する際、前身頃部の左端又は右端から外側に飛び出てしまい、ポケット部に入らないことがある。
また、着用時、ポケット部は、口が開いておらず、こぼれた飲食物が入らないことがある。
また、着用者の首前部と首掛部の襟との間に隙間ができ、こぼれた飲食物がその隙間から前身頃部の裏側に落下してポケット部に入らないことがある。
こぼれた飲食物は、ポケット部に入ることが望まれる。
【０００５】
［着  想］
上記のような食事用エプロンでは、着用時、前身頃部が左右の両側に側壁が突出する溝形状になると、その側壁で飲食物の左方又は右方への飛び出しを防ぐことができる。そこで、前身頃部は、左右の両側にそれぞれタックを設けることにした。左右のタックによって縦方向の長さは、左右の両側が中央より短くなる。すると、ポケット部を開口する着用時、前身頃部は、左右の側部が前側に湾曲して、左右の両側に側壁が突出する溝形状になる。タックは、前身頃部の布を摘まんで縫ったひだである。実施例では、左右１本ずつにしている。タックは、製作が簡単である。
【０００６】
また、ポケット部は、口の縁、例えば前側片の上縁に、湾曲させるとその湾曲形状を保持する形状保持線材を付ける。ポケット部は、開口状態に維持することができる。形状保持線材は、金属の針金や、合成樹脂の形状保持テープが例示される。実施例では、セットアップテープと呼ばれる合成樹脂の形状保持テープにしている。
【０００７】
また、首掛部は、着用者の首前部に接する伸縮性の襟を付ける。着用者の首前部と首掛部の襟との間に隙間ができ難くなる。襟の生地は、伸縮性のあるメリヤス編みの生地が好ましい。実施例では、スムース素材にしている。
【課題を解決するための手段】
【０００８】
１．着用者の首に留める首掛部、着用者の胸の前側に垂らす前身頃部と、こぼれた飲食物を受け入れるポケット部を設けている食事用エプロンにおいて、
ポケット部は、前側片と後側片を重ね、前側片と後側片の縁を閉じて、上向きの口を形成し、
前身頃部は、左右の両側にそれぞれタックを設け、縦方向の長さを左右の両側部で中央部より短くし、
ポケット部を開口する着用時、前身頃部は、左右の側部が前側に湾曲して、左右の両側に側壁が突出する溝形状になる構成にしていることを特徴とする食事用エプロン。
２．上記１の食事用エプロンにおいて、
左右のタックは、それぞれ、１本にしていることを特徴とする。
３．上記１又は２の食事用エプロンにおいて、
ポケット部は、口の縁に、湾曲させるとその湾曲形状を保持する形状保持線材を付けて、開口状態に維持可能にしていることを特徴とする。
４．上記３の食事用エプロンにおいて、
形状保持線材を付ける口の縁は、前側片の上縁にしていることを特徴とする。
５．上記３又は４の食事用エプロンにおいて、
形状記憶線材は、合成樹脂の形状保持テープにしていることを特徴とする。
６．上記１〜５のいずれかの食事用エプロンにおいて、
首掛部は、着用者の首前部に接する伸縮性の襟を付けていることを特徴とする。
７．上記６の食事用エプロンにおいて、
襟の生地は、伸縮性のあるメリヤス編みの生地にしていることを特徴とする。
８．上記６又は７の食事用エプロンにおいて、
襟の生地は、スムース素材にしていることを特徴とする。
【考案の効果】
【０００９】
着用者からこぼれた飲食物が前身頃部の左端又は右端から外側に飛び出し難い。
また、ポケット部は、着用時、開口状態に維持することができる。
また、首掛部は、着用者の首前部との間に隙間ができ難い。
【図面の簡単な説明】
【００１０】
【図１】本考案の実施形態の食事用エプロンの正面図。
【図２】図１のＡ−Ａ線端面図。
【図３】同食事用エプロンの使用状態を示す斜視図。
【考案を実施するための形態】
【００１１】
実施形態の食事用エプロンは、布製にしている。生地は、ポリエステル繊維の織布にしている。織布は、非透水性にしている。表面に撥水加工、裏面に防水加工を施している。また、織布は、縁に縁取りテープを縫い付けている。
【００１２】
食事用エプロンは、図１に示すように、縦長にし、上部を着用者の胸の幅位にし、下部を上部より幅広にしている。また、図１と図２に示すように、上から下に順次、着用者の首に留める首掛部１、着用者の胸の前側に垂らす前身頃部２と、こぼれた飲食物を受け入れるポケット部３を設けている。
【００１３】
首掛部１は、左右方向中央部に、着用者の首が入る壺形状の凹部１１を上縁に開口して設けている。凹部１１の右側部は、裏面に雄型の面ファスナ１２を縫い付けている。凹部１１の左側部は、表面に雌型の面ファスナ１３を縫い付けている。一対の面ファスナ１２、１３は、着用者の首の後側で結合する構成にしている。
【００１４】
また、首掛部１は、凹部１１の底部に、着用者の首前部に接する伸縮性の襟１４を縫い付けている。襟１４の生地は、伸縮性のあるメリヤス編みの生地にしている。実施例では、両面編みのスムース素材にしている。
【００１５】
前身頃部２は、左右の両側にそれぞれ１本のタック１６を設け、縦方向の長さを左右の両側部で中央部より短くしている。食事用エプロンの着用時、ポケット部３を開口すると、前身頃部２は、左右の側部が前側に湾曲して、左右の両側に側壁が突出する溝形状になる構成にしている。
【００１６】
ポケット部３は、前側片２１を、前身頃部２の下側に連続している後側片２２に重ね、前側片２１と後側片２２の下縁と左右の縁を縫い合わせて閉じ、上向きの口を形成している。前側片２１は、上縁の裏側に、湾曲させるとその湾曲形状を保持する形状保持線材２３を縫い付けている。上向きの口を開口状態に維持可能にしている。形状保持線材２３は、合成樹脂の形状保持テープにしている。実施例では、セットアップテープの名称で市販されているポリエチレン樹脂とポリエステル樹脂の形状保持テープにしている。
【００１７】
食事用エプロンは、着用時、図３に示すように、食卓ｔの前に座る着用者ｐの前側に垂らし、首掛部１を着用者ｐの首に嵌めて一対の面ファスナ１２、１３で留める。襟１４は、着用者ｐの首前部に接触させる。前身頃部２は、着用者ｐの胸の前側に垂らす。ポケット部３は、形状保持線材２３付きの前側片２１の上縁を円弧状に湾曲させて前側片２１の上部を円弧状に前側に突出させ、上向きの口を開口する。
【００１８】
ポケット部３は、開口すると、後側片２２の上部の左右の両側部が前側に湾曲する。すると、後側片２２のその湾曲に連れて、前身頃部２は、タック１６によって縦方向の長さが短い左右の両側部が前側に湾曲する。即ち、前身頃部２は、左右の側部が前側に湾曲して、左右の両側に側壁が突出する溝形状になる。
【００１９】
着用者ｐが飲食する際、ポケット部３は、開口状態に形状保持線材２３によって維持されている。こぼれた飲食物は、前身頃部２の前側を落下して開口中のポケット部３に入る。前身頃部２は、左右に側壁があり、飲食物が左端又は右端から外側に飛び出し難い。
【００２０】
着用者ｐの首前部と首掛部１の襟１４との間には、伸縮性の襟１４によって隙間ができ難い。こぼれた飲食物は、前身頃部２の裏側に入り込み難い。
【００２１】
［変形例］
本考案は、上記の実施形態に限定されない。次のような変形が例示される。
１．上記の実施形態において、食事用エプロンの生地は、織布にしているが、不織布にする。又は、合成樹脂フイルムにする。
２．上記の実施形態において、首掛部１の留め具は、面ファスナ１２、１３にしているが、その他のファスナ又は紐にする。
３．上記の実施形態において、タック１６は、１本にしているが、複数本にする。
４．上記の実施形態において、形状保持線材２３は、合成樹脂の形状保持テープにしているが、金属の針金にする。
５．上記の実施形態において、形状保持線材２３は、前側片２１の上縁に付けているが、後側片２２の上縁に付ける。又は、前側片２１の上縁と後側片２２の上縁に付ける。
６．上記の実施形態において、ポケット部３は、後側片２２に連続していない前側片２１を後側片２２に重ね、前側片２１と後側片２２の下縁と左右の縁を縫い合わせて閉じているが、前側片２１を後側片２２の下側に連続して形成し、前側片２１を折り返して後側片２２に重ね、前側片２１と後側片２２の左右の縁を縫い合わせて、前側片２１と後側片２２の下縁と左右の縁を閉じる。
【符号の説明】
【００２２】
１  首掛部
２  前身頃部
３  ポケット部
１１  壺形状の凹部、凹部
１２  雄型の面ファスナ
１３  雌型の面ファスナ
１２、１３  一対の面ファスナ
１４  伸縮性の襟、襟
１６  タック
２１  ポケット部の前側片
２２  ポケット部の後側片
２３  形状保持線材、合成樹脂の形状保持テープ
ｔ  食卓
ｐ  着用者
【図１】
0003195241.tif 000003
【図２】
0003195241.tif 000004
【図３】
0003195241.tif 000005